【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
第１の信号コンポーネントと、前記第１の信号コンポーネントに対応する第２の信号コンポーネントと、を少なくとも有する映像信号を符号化する符号化手段を有し、
前記映像信号に基づく画像は、複数のブロックに分割され、
前記ブロックは、１つ以上の所定の単位に分割して符号化可能であり、
前記第２の信号コンポーネントにおける前記所定の単位の符号化には、前記所定の単位を係数に変換する変換処理を行う第１のモード、又は、前記変換処理を行わない第２のモードを用いることが可能であり、
前記符号化手段は、
前記第１の信号コンポーネントにおけるブロックまたは所定の単位に関する所定の条件が満たされる場合、その第１の信号コンポーネントにおけるブロックまたは所定の単位に対応する、前記第２の信号コンポーネントにおける所定の単位の符号化に前記第２のモードを使用しない
ことを特徴とするエンコーダ。
【請求項２】
前記所定の条件は、
前記第１の信号コンポーネントにおける前記ブロックに含まれる前記所定の単位の数に関する条件である
であることを特徴とする請求項１記載のエンコーダ。
【請求項３】
前記所定の条件は、
前記第２の信号コンポーネントにおける前記所定の単位に対応する前記第１の信号コンポーネントにおけるブロックが、所定の単位を１つだけ有すること
であることを特徴とする請求項１または２に記載のエンコーダ。
【請求項４】
前記所定の条件は、
前記第２の信号コンポーネントにおける前記所定の単位に対応する前記第１の信号コンポーネントにおけるブロックが、少なくとも２つの所定の単位を有するブロックであり、かつ、その少なくとも２つの所定の単位が前記第２のモードを用いて符号化されないこと
であることを特徴とする請求項１〜３のいずれか１項に記載のエンコーダ。
【請求項５】
前記符号化手段は、前記第２の信号コンポーネントにおける前記所定の単位、または、その所定の単位が属するブロックについて、予測モードに関する条件が満たされる場合、その所定の単位の符号化に前記第２のモードを使用しない
ことを特徴とする請求項１〜４のいずれか一項に記載のエンコーダ。
【請求項６】
前記予測モードに関する条件は、前記第２の信号コンポーネントにおけるブロックの予測モードが、所定の予測モードと異なること、または、所定の予測モードのセットに含まれる各々の予測モードと異なること
であることを特徴とする請求項５記載のエンコーダ。
【請求項７】
前記所定の予測モードは、平面モード、ＤＣモード、水平モード、垂直モード、ＬＭモード、対角線左下、対角線右上、および対角線左上の１つである、
ことを特徴とする請求項５記載のエンコーダ。
【請求項８】
前記所定の予測モードのセットは、平面モード、ＤＣモード、水平モード、垂直モード、ＬＭモード、対角線左下、対角線右上、および対角線左上の内の１つまたはその組み合わせを含む
ことを特徴とする請求項５記載のエンコーダ。
【請求項９】
前記第１の信号コンポーネントは輝度信号コンポーネントであり、前記第２の信号コンポーネントは色差信号コンポーネントである
ことを特徴とする請求項１〜８のいずれか一項に記載のエンコーダ。
【請求項１０】
前記第１の信号コンポーネントは色差信号コンポーネントであり、前記第２の信号コンポーネントは輝度信号コンポーネントである
ことを特徴とする請求項１〜８のいずれか一項に記載のエンコーダ。
【請求項１１】
前記所定の単位は変換単位である
ことを特徴とする請求項１〜１０のいずれか一項に記載のエンコーダ。
【請求項１２】
前記第２のモードは変換スキップモードである
ことを特徴とする請求項１〜１１のいずれか一項に記載のエンコーダ。
【請求項１３】
前記変換処理は周波数変換処理である
ことを特徴とする請求項１〜１２のいずれか一項に記載のエンコーダ。
【請求項１４】
前記変換処理はＤＣＴ変換処理である
ことを特徴とする請求項１〜１３のいずれか一項に記載のエンコーダ。
【請求項１５】
第１の信号コンポーネントと、前記第１の信号コンポーネントに対応する第２の信号コンポーネントと、を少なくとも有する映像データを復号する復号手段を有し、
前記映像データに基づく画像は、複数のブロックに分割され、
前記ブロックは、１つ以上の所定の単位に分割して復号可能であり、
前記第２の信号コンポーネントにおける前記所定の単位の復号には、前記映像データに含まれる係数を前記所定の単位で変換する逆変換処理を行う第１のモード、または、前記逆変換処理を行わない第２のモードを用いることが可能であり、
前記復号手段は、
前記第１の信号コンポーネントにおける前記ブロックまたは前記所定の単位に関する所定の条件が満たされる場合、その第１の信号コンポーネントにおけるブロックまたは所定の単位に対応する、前記第２の信号コンポーネントにおける前記所定の単位の復号に前記第２のモードを使用しない
ことを特徴とするデコーダ。
【請求項１６】
前記復号手段は、前記所定の条件が満たされる場合、前記映像データを符号化したエンコーダが前記第２のモードを使用しなかったことを示すフラグを生成する
ことをさらに有することを特徴とする請求項１５記載のデコーダ。
【請求項１７】
前記所定の条件は、
前記第１の信号コンポーネントにおける前記ブロックに含まれる前記所定の単位の数に関する条件である
であることを特徴とする請求項１５または１６に記載のエンコーダ。
【請求項１８】
前記所定の条件は、
前記第２の信号コンポーネントにおける前記所定の単位に対応する前記第１の信号コンポーネントにおけるブロックが、前記所定の単位を１つだけ有すること
であることを特徴とする請求項１５〜１７のいずれか一項に記載のデコーダ。
【請求項１９】
前記所定の条件は、
前記第２の信号コンポーネントにおける前記所定の単位に対応する前記第１の信号コンポーネントにおけるブロックが、少なくとも２つの所定の単位を有するブロックであり、かつ、その少なくとも２つの所定の単位が前記第２のモードを用いて復号されないこと
であることを特徴とする請求項１５〜１８いずれか一項に記載のデコーダ。
【請求項２０】
前記復号手段は、前記第２の信号コンポーネントにおける前記所定の単位、または、その所定の単位が属するブロックについて、予測モードに関する条件が満たされる場合、その所定の単位の復号に前記第２のモードを使用しない
ことを特徴とする請求項１５〜１９のいずれか一項に記載のデコーダ。
【請求項２１】
前記予測モードに関する条件は、前記第２の信号コンポーネントにおけるブロックの予測モードが、所定の予測モードと異なること、または、所定の予測モードのセットに含まれる各々の予測モードと異なること
であることを特徴とする請求項２０記載のデコーダ。
【請求項２２】
前記所定の予測モードは、平面モード、ＤＣモード、水平モード、垂直モード、ＬＭモード、対角線左下、対角線右上、および対角線左上の１つである、
ことを特徴とする請求項２１記載のデコーダ。
【請求項２３】
前記所定の予測モードのセットは、平面モード、ＤＣモード、水平モード、垂直モード、ＬＭモード、対角線左下、対角線右上、および対角線左上の内の１つまたはその組み合わせを含む
ことを特徴とする請求項２１記載のデコーダ。
【請求項２４】
前記第１の信号コンポーネントは輝度信号コンポーネントであり、前記第２の信号コンポーネントは色差信号コンポーネントである
ことを特徴とする請求項１５〜２３のいずれか一項に記載のデコーダ。
【請求項２５】
前記第１の信号コンポーネントは色差信号コンポーネントであり、前記第２の信号コンポーネントは輝度信号コンポーネントである
ことを特徴とする請求項１５〜２３のいずれか一項に記載のデコーダ。
【請求項２６】
前記所定の単位は変換単位である
ことを特徴とする請求項１５〜２５のいずれか一項に記載のデコーダ。
【請求項２７】
前記第２のモードは変換スキップモードである
ことを特徴とする請求項１５〜２６のいずれか一項に記載のデコーダ。
【請求項２８】
前記逆変換処理は周波数変換に係る処理である
ことを特徴とする請求項１５〜２７のいずれか一項に記載のエンコーダ。
【請求項２９】
前記逆変換処理はＤＣＴ変換に係る処理である
ことを特徴とする請求項１３〜２８のいずれか一項に記載のエンコーダ。
【請求項３０】
第１の信号コンポーネントと、前記第１の信号コンポーネントに対応する第２の信号コンポーネントと、を少なくとも有する映像信号を符号化する方法であって、
前記映像信号に基づく画像は、複数のブロックに分割され、
前記ブロックは、１つ以上の所定の単位を有し、
前記第２の信号コンポーネントにおける前記所定の単位の符号化には、前記所定の単位を係数に変換する変換処理を行う第１のモード、又は、前記変換処理を行わない第２のモードを用いることが可能であり、
前記方法は、
前記第１の信号コンポーネントにおけるブロックまたは所定の単位に関する所定の条件が満たされる場合、その第１の信号コンポーネントにおけるブロックまたは所定の単位に対応する、前記第２の信号コンポーネントにおける所定の単位の符号化に前記第２のモードを使用しない
ことを特徴とする方法。
【請求項３１】
第１の信号コンポーネントと、前記第１の信号コンポーネントに対応する第２の信号コンポーネントと、を少なくとも有する映像データを復号する方法であって、
前記映像データに基づく画像は、複数のブロックに分割され、
前記ブロックは、１つ以上の所定の単位を有し、
前記第２の信号コンポーネントにおける前記所定の単位の復号には、前記映像データに含まれる係数を前記所定の単位で変換する逆変換処理を行う第１のモード、または、前記逆変換処理を行わない第２のモードを用いることが可能であり、
前記方法は、
前記第１の信号コンポーネントにおける前記ブロックまたは前記所定の単位に関する所定の条件が満たされる場合、その第１の信号コンポーネントにおけるブロックまたは所定の単位に対応する、前記第２の信号コンポーネントにおける前記所定の単位の復号に前記第２のモードを使用しない
ことを特徴とする方法。
【請求項３２】
請求項１〜１４のいずれか１項に記載のエンコーダの符号化手段としてコンピュータを機能させることを特徴とするプログラム。
【請求項３３】
請求項１５〜２９のいずれか１項に記載のエンコーダの符号化手段としてコンピュータを機能させることを特徴とするプログラム。
【手続補正２】
【補正対象書類名】明細書
【補正対象項目名】発明の名称
【補正方法】変更
【補正の内容】
【発明の名称】エンコーダ、デコーダ、方法、及びプログラム
【手続補正３】
【補正対象書類名】明細書
【補正対象項目名】００４８
【補正方法】変更
【補正の内容】
【００４８】
本発明のある態様のエンコーダは、第１の信号コンポーネントと、前記第１の信号コンポーネントに対応する第２の信号コンポーネントと、を少なくとも有する映像信号を符号化する符号化手段を有し、前記映像信号に基づく画像は、複数のブロックに分割され、前記ブロックは、１つ以上の所定の単位に分割して符号化可能であり、前記第２の信号コンポーネントにおける前記所定の単位の符号化には、前記所定の単位を係数に変換する変換処理を行う第１のモード、又は、前記変換処理を行わない第２のモードを用いることが可能であり、前記符号化手段は、前記第１の信号コンポーネントにおけるブロックまたは所定の単位に関する所定の条件が満たされる場合、その第１の信号コンポーネントにおけるブロックまたは所定の単位に対応する、前記第２の信号コンポーネントにおける所定の単位の符号化に前記第２のモードを使用しない。
本発明のある態様のデコーダは、第１の信号コンポーネントと、前記第１の信号コンポーネントに対応する第２の信号コンポーネントと、を少なくとも有する映像データを復号する復号手段を有し、前記映像データに基づく画像は、複数のブロックに分割され、前記ブロックは、１つ以上の所定の単位に分割して復号可能であり、前記第２の信号コンポーネントにおける前記所定の単位の復号には、前記映像データに含まれる係数を前記所定の単位で変換する逆変換処理を行う第１のモード、または、前記逆変換処理を行わない第２のモードを用いることが可能であり、前記復号手段は、前記第１の信号コンポーネントにおける前記ブロックまたは前記所定の単位に関する所定の条件が満たされる場合、その第１の信号コンポーネントにおけるブロックまたは所定の単位に対応する、前記第２の信号コンポーネントにおける前記所定の単位の復号に前記第２のモードを使用しない。
また、本発明の第１の態様によると、第１の色に対応する第１の信号コンポーネントと、第１の信号コンポーネントに関連づけられ、第２の色に対応する第２の信号コンポーネントと、を少なくとも有する映像信号を符号化する方法が提供され、各々の上記信号コンポーネントは、ブロックに分割され、各々の上記ブロックは、１つ以上の符号化可能な単位を有し、上記第２の信号コンポーネントの少なくとも１つの符号化可能な単位の符号化は、第１および第２のモード間で切り替え可能であり、前記方法は、
上記第２の信号コンポーネントの少なくとも１つの上記符号化可能な単位について、
・第２の信号コンポーネントの当該の符号化可能な単位に対応する上記第１の信号コンポーネントの符号化されたブロックまたは符号化可能な単位に関連する、少なくとも１つの所定の条件が、満たされる場合、および／または、
・第２の信号コンポーネントの当該の符号化可能な単位の、または第２の信号コンポーネントの当該の符号化可能な単位が属するブロックの、予測モードに関連する、少なくとも１つの所定の条件が、満たされる場合、
第２の信号コンポーネントの当該の符号化可能な単位の符号化のための上記第２のモードの使用を除外することを備える。
【手続補正４】
【補正対象書類名】図面
【補正対象項目名】図９
【補正方法】変更
【補正の内容】
【図９】
2015521826.tif 000001
【手続補正５】
【補正対象書類名】図面
【補正対象項目名】図１０
【補正方法】変更
【補正の内容】
【図１０】
2015521826.tif 000002
【手続補正６】
【補正対象書類名】図面
【補正対象項目名】図１１
【補正方法】変更
【補正の内容】
【図１１】
2015521826.tif 000003
【手続補正７】
【補正対象書類名】図面
【補正対象項目名】図１２
【補正方法】変更
【補正の内容】
【図１２】
2015521826.tif 000004
【手続補正８】
【補正対象書類名】図面
【補正対象項目名】図１３
【補正方法】変更
【補正の内容】
【図１３】
2015521826.tif 000005
【手続補正９】
【補正対象書類名】図面
【補正対象項目名】図１４
【補正方法】変更
【補正の内容】
【図１４】
2015521826.tif 000006
【手続補正１０】
【補正対象書類名】図面
【補正対象項目名】図１５
【補正方法】変更
【補正の内容】
【図１５】
2015521826.tif 000007